【手続補正書】
【提出日】平成19年1月23日(2007.1.23)
【手続補正１】
【補正対象書類名】明細書
【補正対象項目名】特許請求の範囲
【補正方法】変更
【補正の内容】
【特許請求の範囲】
【請求項１】  感知された貨幣類の特性の関数として貨幣類パラメータ信号を生成する信号源と、特定金種の貨幣類のパラメータの信号の値の通常受入範囲であって、受入確率が比較的高い領域と比較的低い領域を包含し、その中でパラメータ信号の値が感知された前記特定金種の貨幣類の比較的高いかまたは低い発生確率に対応している通常受入範囲に相当するデータを提供する記憶部と、第１の貨幣類に対応して発生したパラメータ信号が予め設定された数値関係をとるときを決定し、それに応じて、連続して発生する第２の貨幣類に対応するパラメータ信号の値を、通常受入範囲に比べて制限された受入範囲に相当するデータと比較し、発生した第２のパラメータ信号が制限された受入範囲内にある場合に、第２の貨幣類の受入可能性に相当する出力を提供するプロセッサとからなり、第１の貨幣類に対応するパラメータ信号が通常受入範囲外の所定の安全障壁範囲内の値を有するときに、前記の予め設定された数値関係が生じることを特徴とする貨幣類受入器。
【請求項２】  前記の予め設定された数値関係は、第１の貨幣類に対応するパラメータ信号が、(a) 低確率領域および(b) 通常受入範囲外の所定の安全障壁領域の１つに存在する値を有するときに生じる請求項１に記載の受入器。
【請求項３】  制限された受入範囲が、高確率領域に相当する請求項２に記載の受入器。
【請求項４】  前記の予め設定された数値関係は、第１の貨幣類に対応するパラメータ信号が、(a) 低確率領域、(b) 通常受入範囲外の所定の安全障壁領域および(c) 前記高受入確率領域の所定部分の1つに存在する値を有するときに生じる請求項１に記載の受入器。
【請求項５】  制限された受入範囲が、高確率領域に相当する請求項４に記載の受入器。
【請求項６】  制限された受入範囲が、高確率領域に相当する請求項１に記載の受入器。
【請求項７】  プロセッサが、所定回数で連続して発生したパラメータ信号を、制限された受入範囲と比較し、前記の所定回数のすべてが受入可能な貨幣類に相当すれば、その後に通常受入範囲に復帰するように動作可能である請求項１に記載の受入器。
【請求項８】  プロセッサが、パラメータ信号を通常受入範囲と比較し、前記低受入確率領域内であって前記所定回数より小さい予め選択された回数のパラメータ信号の発生の後に、制限された範囲に切り替えるように動作可能である請求項７に記載の受入器。
【請求項９】  予め選択された回数が１であり、所定回数が６から２０まである請求項８に記載の受入器。
【請求項１０】  プロセッサが、連続して発生したパラメータ信号のいずれかを前記の制限された受入範囲と所定時間のあいだに比較し、その後通常受入範囲に復帰するように動作可能である請求項１に記載の受入器。
【請求項１１】  信号源が、複数の独立した貨幣類パラメータ信号を感知された貨幣類のそれぞれ異なる特性の関数として生成するように動作可能であり、記憶部が、特定金種の貨幣類のそれぞれに対するパラメータ信号の値の通常受入範囲のためのデータを生成するように構成された請求項１に記載の受入器。
【請求項１２】  プロセッサが、発生した第1の各パラメータ信号を前記通常受入範囲の対応する１つと個別に比較し、対応する通常受入範囲の低受入確率領域と予め設定された数値関係を有する発生した第１のパラメータ信号のいずれか1 つに応じて、連続して発生した異なる各パラメータ信号を、各パラメータ信号の対応する制限された受入範囲と比較するように動作可能である請求項１１に記載の受入器。
【請求項１３】  プロセッサが、発生した第1の各パラメータ信号を前記通常受入範囲の対応する１つと個別に比較し、通常受入範囲の低受入確率領域と予め設定された数値関係を有する発生した第１のパラメータ信号の対応する１つに応じて選択的に、連続して発生した異なる各パラメータ信号を、各パラメータ信号の対応する制限された受入範囲と比較するように動作可能である請求項１１に記載の受入器。
【請求項１４】  信号源が、貨幣類の特性を感知するセンサを有する請求項１１に記載の受入器。
【請求項１５】  センサが、コインからなる貨幣類の特性を感知するように動作可能である請求項１４に記載の受入器。
【請求項１６】  センサが、コインの誘導特性を感知するための誘導子からなる請求項１５に記載の受入器。
【請求項１７】  センサが、紙幣からなる貨幣類の特性を感知するように動作可能である請求項１５に記載の受入器。
【請求項１８】  予め設定された数値関係をとる貨幣類に対応するパラメータ信号の発生に応じて所定時間を計測するように作動可能なタイマーを備え、プロセッサは前記タイマーが時間計測を完了し、通常受入範囲に復帰するまで、連続して発生するパラメータ信号を制限された受入範囲と比較するように作動可能である請求項１に記載の受入器。
【請求項１９】  感知された貨幣類の特性の関数として貨幣類パラメータ信号を生成し、特定金種の貨幣類のパラメータ信号の値の通常受入範囲であって、受入確率が比較的高い領域と比較的低い領域を包含し、その中でパラメータ信号の値が感知された前記特定金種の貨幣類の比較的高いかまたは低い発生確率に対応している通常受入範囲に相当するデータを提供し、第１の貨幣類に対応するパラメータ信号の発生が通常受入範囲外の所定の安全障壁範囲内の値を有するときを決定し、それに応じて、連続して発生する第２の貨幣類に対応するパラメータ信号の値を、通常受入範囲に比べて制限された受入範囲に相当するデータと比較し、第２のパラメータ信号発生が制限された受入範囲内であれば、第２の貨幣類の受入可能性に相当する出力を提供することからなる貨幣類受入方法。
【請求項２０】  感知された貨幣類の特性の関数として貨幣類パラメータ信号を生成する信号源と、特定金種の貨幣類のパラメータ信号の値の通常受入範囲であって、受入確率が比較的高い領域と比較的低い領域を包含し、その中でパラメータ信号の値が感知された前記特定金種の貨幣類の比較的高いかまたは低い発生確率に対応している通常受入範囲に相当するデータを提供する記憶部と、発生した第１の貨幣類に相当するパラメータ信号が低受入確率領域と予め設定された数値関係をとるときを決定し、それに応じて、連続して発生する第２の貨幣類に対応するパラメータ信号の値を、通常受入範囲に比べて制限された受入範囲に相当するデータと比較し、発生した第２のパラメータ信号が制限された受入範囲内にある場合に、第２の貨幣類の受入可能性に相当する出力を提供し、第１の所定回数で連続して発生したパラメータ信号を、制限された受入範囲と比較し、その全てが受入可能な貨幣類に相当すれば、通常受入範囲に復帰するように動作可能なプロセッサとからなり、通常範囲を使用するときに、制限された受入範囲が、前記第１の予め設定された数より小さい第２の予め選択された発生数のパラメータ信号に応じて、前記の予め設定された数値関係をとりながら、選択されることを特徴とする貨幣類受入器。
【請求項２１】  前記第２の予め選択された発生回数が、１回の発生である請求項20に記載の受入器。
【請求項２２】  第１の予め設定された発生回数が、６から２０までである請求項２１に記載の受入器。
【請求項２３】  第１の予め設定された発生回数が、６から８までである請求項２２に記載の受入器。
【請求項２４】  プロセッサが、制限された受入範囲を選択した後のパラメータ信号の発生を、前記の制限された受入範囲と所定時間のあいだに比較し、その後通常受入範囲に復帰するように動作可能である請求項２２に記載の受入器。
【請求項２５】  プロセッサが、制限された受入範囲を選択した後のパラメータ信号の発生を、前記の制限された受入範囲と所定時間のあいだに比較し、その後通常受入範囲に復帰するように動作可能である請求項２０に記載の受入器。
【請求項２６】  前記の予め設定された数値関係が、第１の貨幣類に対応するパラメータ信号が低受入確率領域内の値を有するときに生じる請求項２５に記載の受入器。
【請求項２７】  前記の予め設定された数値関係が、第１の貨幣類に対応するパラメータ信号が低受入確率領域内の値を有するときに生じる請求項２０に記載の受入器。
【請求項２８】  前記の予め設定された数値関係が、第１の貨幣類に対応するパラメータ信号が通常受入範囲外の所定の安全障壁領域内の値を有するときに生じる請求項２７に記載の受入器。
【請求項２９】  前記の予め設定された数値関係が、第１の貨幣類に対応するパラメータ信号が通常受入範囲外の所定の安全障壁領域内の値を有するときに生じる請求項２０に記載の受入器。
【請求項３０】  前記の予め設定された数値関係が、第１の貨幣類に対応するパラメータ信号が前記高受入確率領域内の所定部分に存在する値を有するときに生じる請求項２９に記載の受入器。
【請求項３１】  前記の予め設定された数値関係が、第１の貨幣類に対応するパラメータ信号が前記高受入確率領域内の所定部分に存在する値を有するときに生じる請求項２０に記載の受入器。
【請求項３２】  予め設定された数値関係をとる貨幣類に対応するパラメータ信号の発生に応じて所定時間を計測するように作動可能なタイマーを備え、プロセッサは前記タイマーが時間計測を完了し、通常受入範囲に復帰するまで、連続して発生するパラメータ信号を制限された受入範囲と比較するように作動可能である請求項２０に記載の受入器。
【請求項３３】  感知された貨幣類の特性の関数として貨幣類パラメータ信号を生成し、特定金種の貨幣類のパラメータ信号の値の通常受入範囲であって、受入確率が比較的高い領域と比較的低い領域を包含し、その中でパラメータ信号の値が感知された前記特定金種貨幣類の比較的高いかまたは低い発生確率に対応している通常受入範囲に相当するデータを提供し、第１の貨幣類に対応して発生したパラメータ信号が低受入確率領域と予め設定された数値関係をとるときを決定し、それに応じて、連続して発生する第２の貨幣類に対応するパラメータ信号の値を、通常受入範囲に比べて制限された受入範囲に相当するデータと比較し、第２の発生したパラメータ信号が制限された受入範囲内であれば、第２の貨幣類の受入可能性に相当する出力を提供し、第１の所定回数で連続して発生したパラメータ信号を、制限された受入範囲と比較し、それらが受入可能な貨幣類に相当すれば、通常受入範囲に復帰することからなり、通常受入範囲を使用する場合には、前期第１の所定回数より小さい第２の予め選択された回数で発生するパラメータ信号が前記の予め設定された数値関係をとるときに、制限された受入範囲が選択されることを特徴とする貨幣類受入方法。